(57)【要約】【課題】  支柱を中心にして、その周りを囲むように棚板を配設した商品陳列棚であって、棚板の強度が十分に得られ、しかも組立が容易な商品陳列棚を提供する。【解決手段】  支柱３の外周面に設けた係止孔１１に、ブラケット４の基端に設けた係止片１４を係合することにより、複数のブラケットを支柱３より放射方向に延出するように取り付け、前記ブラケットに棚板５を前記支柱３の周囲を囲むようにして支持させてなる商品陳列棚１において、棚板５を、丸パイプで形成した円環７の内側に、円環７の内周よりやや大きめの円板６を上方より嵌合させて固着するとともに、前記円板６の中央に穿設した孔に支柱３を挿通させる。【選択図】  図１
2005074172.tif 000002
【特許請求の範囲】
【請求項１】
支柱の外周面に設けた係止孔に、ブラケットの基端に設けた係止片を係合することにより、複数のブラケットを支柱より放射方向に延出するように取り付け、前記ブラケットに棚板を前記支柱の周囲を囲むようにして支持させてなる商品陳列棚において、
棚板を、丸パイプで形成した円環の内側に、円環の内周よりやや大きめの円板を上方より嵌合させて固着するとともに、前記円板の中央に穿設した孔に支柱を挿通させて形成したことを特徴とする商品陳列棚。
【請求項２】
前記円板の裏面に、この円板の中央に穿設した孔から周縁まで、放射方向に複数本の支持部材を設けるとともに、これらの支持部材を前記複数のブラケットに載置し、棚板をブラケットに支持させたことを特徴とする請求項１に記載の商品陳列棚。
【請求項３】
隣合う前記支持部材の中間部間に、補強部材を掛け渡して配設したことを特徴とする請求項２に記載の商品陳列棚。
【発明の詳細な説明】
【技術分野】
【０００１】
本発明は、棚板を、支柱を中心として、その周りを囲むように配設した商品陳列棚に関する。
【背景技術】
【０００２】
従来のこの種の商品陳列棚として、支柱の外側面に設けた係合孔に、棚板支持用のブラケットの基端に設けた下向き鉤形の係止片を係止することにより、複数のブラケットを支柱より放射状に支持し、これらのブラケットをもって、１個の円板状の、または複数の扇形の棚板を、支柱を中心として、その周りを取り囲むように支持したものが公知である。（例えば、特許文献１参照）。
特許文献１の商品陳列棚では、各ブラケットの先端同士を、平面視円弧状の連結杆をもって互いに連結して、各ブラケットの先端部が側方に揺動するのを防止するとともに、それらのブラケット間に位置する棚板の周縁部を受止めている。
【０００３】
【特許文献１】特開２００２−３００９４３号公報（図１，図９，図１０）
【発明の開示】
【発明が解決しようとする課題】
【０００４】
上記特許文献１に記載の商品陳列棚では、各ブラケットの先端部を円弧状の連結杆で互いに連結しているため、組立作業が煩雑である。
【０００５】
本発明は、前記した現状に鑑み、支柱を中心にして、その周りを囲むように棚板を配設した商品陳列棚であって、棚板の強度が十分に得られ、しかも組立が容易な商品陳列棚を提供することを目的とする。
【課題を解決するための手段】
【０００６】
本発明によると、上記課題は、次のようにして解決される。
（１）  支柱の外周面に設けた係止孔に、ブラケットの基端に設けた係止片を係合することにより、複数のブラケットを支柱より放射方向に延出するように取り付け、前記ブラケットに棚板を前記支柱の周囲を囲むようにして支持させてなる商品陳列棚において、棚板を、丸パイプで形成した円環の内側に、円環の内周よりやや大きめの円板を上方より嵌合させて固着するとともに、前記円板の中央に穿設した孔に支柱を挿通させて形成する。
【０００７】
（２）  上記(１)項において、前記円板の裏面に、この円板の中央に穿設した孔から周縁まで、放射方向に複数本の支持部材を設けるとともに、これらの支持部材を前記複数のブラケットに載置し、棚板をブラケットに支持させる。
【０００８】
（３）  上記(２)項において、隣合う前記支持部材の中間部間に、補強部材を掛け渡して配設する。
【発明の効果】
【０００９】
本発明によれば、次のような効果が奏せられる。
(１)請求項１記載の発明によると、円板の周囲に、丸パイプで形成された円環を固設してあるので、十分な強度の棚板を得ることができ、丸パイプの内側周面に、円板を嵌め込むようにして固着するので、円環と円板との位置決めが容易であるとともに、溶接等の固着作業も容易になり、組立作業を効率的に行うことができる。
【００１０】
(２)請求項２記載の発明によると、円板が支持部材によって補強され、かつ支持部材をブラケットに載置して円板を支持しているので、円板の強度が向上するとともに、円板の板厚を薄くすることができる。
【００１１】
(３)請求項３記載の発明によると、円板の強度をさらに高めることができる。
【発明を実施するための最良の形態】
【００１２】
図１は、本発明に係る商品陳列棚の一実施形態を示す斜視図、図２は、図１の商品陳列棚の棚板の下方斜視図、図３は、図１におけるＡ部の拡大断面図，図４は、図１の商品陳列棚における支柱およびブラケットを示す分解斜視図、図５は、図１におけるＶ−Ｖ線断面図である。
【００１３】
図１に示すように、商品陳列棚(１)は、支持台(２)から立設された支柱(３)に、ブラケット(４)を介して３枚の棚板(５)を取り付けて構成されている。
【００１４】
棚板(５)は、円板(６)と、丸パイプを環状に形成した円環(７)とによって構成されている。
円板(６)は、円環(７)の内径よりも僅かに大きな径を有するように形成され、中央に支柱(３)に嵌合する正四角形の角孔(８)が穿設されている。
【００１５】
図２に示すように、円板(６)の裏面には、角孔(８)から放射方向に延びて、周縁(6a)に至る４本の長尺の支持部材(９)が等角度間隔で配設されている。この支持部材(９)は、底板部(9a)、側板部(9b)、フランジ部(9c)によって、長手方向に対して垂直な断面が逆ハット状に形成されており、前記フランジ部(9c)をもって円板(６)の裏面にスポット溶接等によって固定されている。
【００１６】
円板(６)の裏面には、隣接する支持部材(９)(９)の中間部間に、補強部材(10)が配設されている。この補強部材(10)も、支持部材(９)と同様に、底板部(10a)、側板部(10b)、フランジ部(10c)によって、その長手方向に対して垂直な断面が逆ハット状をなしており、フランジ部(10c)が円板(６)の裏面に、スポット溶接等によって固定されている。
【００１７】
なお、支持部材(９)の底板部(9a)には、ブラケット(４)における上向突片が係合される係止孔(11)が形成されている。
【００１８】
円板(６)は、図３に示すように、その周縁(6a)が、円環(７)の内周側面(7a)に溶接等によって固着されている。
円板(６)の上面(6b)の高さは、円環(７)の外周面頂部(7b)よりも低い位置に位置決めされており、円環(７)が円板(６)の周縁(6a)の柵としての役割も果たしている。
【００１９】
図４に示すように、支柱(３)は、断面正四角形のパイプによって形成され、その各側面には、複数の係合孔(12)が、上下方向に等間隔をもって形成されている。この支柱(３)の上端には、エンドキャップ(13)が嵌着されている。
支柱(３)の各側面における等高の任意の係合孔(12)に、図５に示すように、ブラケット(４)の後端に設けられた下向き鉤状の複数の係止片(14)を係止することにより、４個のブラケット(４)が、支柱(３)を中心とする放射状をなすように、支柱(３)に取り付けられている。
【００２０】
各ブラケット(４)の先端部には、上向突片(15)が突設されている。また、各ブラケット(４)の基端寄りの中位部には、通孔(16)が穿設されている。
【００２１】
図４に示すように、互いに隣接するブラケット(４)(４)間には、平面視ほぼＷ字状をなす固定部材(17)が、その両端部の当接片(17a)(17a)が各ブラケット(４)の側面に当接し、かつ平面視直角に屈曲された中間片(17b)の内面が、支柱(３)の各角部の外面に当接するようにして配設され、各ブラケット(４)と、その両側面に当接する固定部材(17)の当接片(17a)とを、定着手段としてのボルト(18)をもって互いに定着することにより、各ブラケット(4)は互いに強固に連結されている。
【００２２】
ボルト(18)は、ブラケット(４)の通孔(16)と、その一方の側面に当接した固定部材(17)の当接片(17a)に穿設した通孔(19)とを挿通させ、かつブラケット(４)の他方の側面に当接した固定部材(17)の当接片(17a)に設けたねじ孔(20)に螺合させてある。
【００２３】
固定部材(17)により互いに連結された等高の４個のブラケット(４)上には、図５に示すように、円板状の棚板(５)が、その中央に穿設された角孔(８)に支柱(３)を挿通させるとともに、ブラケット(４)の上向突片(15)を、棚板(５)の支持部材(９)の下面に形成した孔(11)に嵌合させることにより載置されている。
【００２４】
図６は、ブラケットによって棚板を支持する棚板支持構造の他の実施形態を示す要部断面図である。  
図６に示すように、ブラケット(４)の上向突片(15)を棚板(５)の円環(７)の下面に設けた孔(21)に係合させてある。
【図面の簡単な説明】
【００２５】
【図１】本発明に係る商品陳列棚の一実施形態を示す斜視図である。
【図２】図１の商品陳列棚の棚板の下方斜視図である。
【図３】図１におけるＡ部拡大断面図である。
【図４】図１の商品陳列棚における支柱およびブラケットを示す分解斜視図である。
【図５】図１におけるＶ−Ｖ線断面図である。
【図６】ブラケットによって棚板を支持する棚板支持構造の他の実施形態を示す要部断面図である。
【符号の説明】
【００２６】
(１)商品陳列棚
(２)支持台
(３)支柱
(４)ブラケット
(５)棚板
(６)円板
(6a)周縁
(6b)底面
(７)円環
(８)角孔
(９)支持部材
(9a)天板部
(9b)側板部
(9c)フランジ部
(10)補強部材
(10a)天板部
(10b)側板部
(10c)フランジ部
(11)係止孔
(12)係合孔
(13)キャップ
(14)係止片
(15)上向突片
(16)通孔
(17)固定部材
(17a)当接片
(17b)中間片
(18)ボルト
(19)通孔
(20)ねじ孔
(21)孔
【図１】
2005074172.tif 000003
【図２】
2005074172.tif 000004
【図３】
2005074172.tif 000005
【図４】
2005074172.tif 000006
【図５】
2005074172.tif 000007
【図６】
2005074172.tif 000008